(57)【要約】  アナログ物理インタフェース（２６）を備える免許不要な移動体通信ネットワークのアクセスポイント（２１）であって、旧来の電話システム（ＰＯＴＳ）機器（６０）と通信するように構成される。アナログ物理インタフェース（２６）に接続されるコンバータ（２２）は、ＰＯＴＳ信号（６５）から移動体通信システム用の信号（２５）への変換、またその逆変換を行う。ＰＯＴＳ−移動体コンバータ（２２）は、コンバータ（２４）に接続され、好ましくはＵＭＡ規格に従って、移動体通信システム信号（２５）をＩＰパケット（３５）へパケット化し、また逆にパケット化を解除する。ＰＯＴＳ−移動体コンバータ（２２）は、移動体通信システムによって解釈可能なＩＤ（２３）を備える。移動体通信システムから直接利用できないＰＯＴＳサービスは、好ましくはＰＯＴＳ−移動体コンバータ（２２）の内部で実施されるか、ＰＯＴＳ−移動体コンバータ（２２）と関連して実施される。
2008530852.tif 000002
【特許請求の範囲】
【請求項１】
アクセスポイント（２１）であって、
ＩＰコネクションを通じた移動体通信ネットワークへのアクセスを移動端末に提供するように構成されたアクセスネットワーク、へ接続するためのＩＰネットワーク物理インタフェース（２７）と、
前記ＩＰネットワーク物理インタフェース（２７）に接続され、前記ＩＰネットワーク物理インタフェース上で受信されたＩＰ信号（３５）を、移動体通信システム信号（２５）に変換するとともに、移動体通信システム信号（２５）を前記ＩＰネットワーク物理インタフェース（２７）上で送信するためにＩＰ信号（３５）に変換するように構成される第１のコンバータ（２４）と、
旧来の電話システム（ＰＯＴＳ）機器（６０；６０Ａ−Ｂ）と通信するように構成されるアナログ物理インタフェース（２６；２６Ａ−Ｂ）と、
前記アナログ物理インタフェース（２６；２６Ａ−Ｂ）及び前記第１のコンバータ（２４）と接続される第２のコンバータ（２２）であって、前記アナログ物理インタフェース（２６；２６Ａ−Ｂ）上で受信されたＰＯＴＳ信号（６５）を、前記第１のコンバータ（２４）へ供給するために移動体通信システム信号（２５）に変換するように構成される第２のコンバータ（２２）とを有し、
前記第２のコンバータ（２２）はさらに、前記第１のコンバータ（２４）によって与えられる移動体通信システム信号（２５）を、前記アナログ物理インタフェース（２６；２６Ａ−Ｂ）上で送信するために、ＰＯＴＳ信号（６５）に変換するように構成されることを特徴とするアクセスポイント。
【請求項２】
前記移動体通信システム内の前記ＰＯＴＳ機器（６０；６０Ａ−Ｂ）についてのＩＤを提供するための手段（２３；２３Ａ−Ｂ）をさらに有することを特徴とする請求項１記載のアクセスポイント。
【請求項３】
前記ＩＤを提供するための手段が、加入者識別モジュール（２３；２３Ａ−Ｂ）であることを特徴とする請求項２記載のアクセスポイント。
【請求項４】
移動機（１０）と通信するように構成され、移動体通信システム信号（２５）を供給及び受信するために前記第１のコンバータ（２４）に接続される無線インタフェース（１６）をさらに有することを特徴とする請求項１乃至請求項３のいずれか１項に記載のアクセスポイント。
【請求項５】
前記移動体通信システム信号（２５）が、ＧＳＭ／３ＧＰＰ規格に従って実行され、前記第１のコンバータ（２４）が免許不要な移動体通信（ＵＭＡ）規格に従って動作することを特徴とする請求項４記載のアクセスポイント。
【請求項６】
前記移動体通信システムからは直接利用できないＰＯＴＳサービスを実装するための手段（２９）をさらに有することを特徴とする請求項１乃至請求項５のいずれか１項に記載のアクセスポイント。
【請求項７】
前記ＰＯＴＳを実装するための手段（２９）が、ＰＯＴＳに固有なトーン及びパルスの生成器及び検出器を備えることを特徴とする請求項６記載のアクセスポイント。
【請求項８】
前記ＰＯＴＳサービスが、
ＰＯＴＳ音声サポート、
ＰＯＴＳ補助サービス、
ＦＡＸサポート、
モデムサポート、
文字通信サポート、及び
高速回線交換データサポート、
から選択されることを特徴とする請求項１乃至請求項７のいずれか１項に記載のアクセスポイント。
【発明の詳細な説明】
【技術分野】
【０００１】
本発明は概して電気通信分野に関し、特にはインターネットプロトコルコネクションを通じて与えられる電話サービスを提供する装置に関する。
【背景技術】
【０００２】
インターネットプロトコル（ＩＰ）ベースの通信を用いた通信システムは、ここ数年間で非常に発展してきている。なかでも魅力的な特徴は、非常に高い伝送レートを可能にする高帯域(high bandwidth)が利用可能なことである。この発展には、電話サービス(telephony services)もまた含まれている。近年、免許不要な移動体通信(UMA: unlicensed mobile access)についての新たな規格（非特許文献１）が発行され、この規格では、WiFi又はブルートゥースのような免許不要帯域の技術による通信が可能な移動機が、広帯域ＩＰネットワークを用いて移動体通信システムと接続する。
【０００３】
しかしながら、旧来の電話システム(POTS: plain old telephony system)に関するサービスに対する要求も依然として存在する。そのような要求に対するさまざまな対応策が提案されている。１つは、ＰＯＴＳ機器に接続されるノードであって、ＰＯＴＳデータをＩＰパケットにパケット化するノードを提供し、このＩＰパケットをＩＰネットワークを通じてゲートウェイノードに送信し、そこでパケット化を解除してＰＯＴＳデータを復元して、ＰＯＴＳネットワークへ転送するというものである。このような対応策の問題は、ユーザ側、オペレータ側ともに新しい装置が必要なことである。
【０００４】
別の対応策は、ＰＯＴＳと同等の様々なタイプのサービスをサポートするための移動機を開発することである。移動機は例えばＵＭＡ技術を用いて接続されることが出来る。しかし、この方法はより高価で複雑な移動機を必要とする。さらに、移動機が占有されるため、ＰＯＴＳと同等のサービスを例えば通常の移動電話サービスと同時に使用することが出来ないか、少なくとも制限される。
【０００５】
【非特許文献１】ＵＭＡアーキテクチャ（ステージ２） R1.0.2 (2004-11-03) 技術仕様、第４〜７章
【発明の開示】
【０００６】
ＰＯＴＳと同等のサービスのためにＩＰコネクションを用いる従来技術の方法の一般的な問題は、ほとんどの場合、比較的高価で複雑なことである。
【０００７】
従って、本発明の目的は、ＰＯＴＳサービスにＩＰネットワークを利用する可能性を改善することである。本発明の別の目的は、安価且つ簡単な方法で、ＩＰネットワークを通じたＰＯＴＳと等価なサービスを提供することにある。
【０００８】
上述の目的は特許請求の範囲に係る装置によって達成される。一般的に言えば、移動機がＩＰコネクションを通じて移動体通信ネットワークへアクセスするための、アクセスネットワークのアクセスポイント（ＡＰ）が、旧来の電話システム（ＰＯＴＳ）装置との通信用に構成されたアナログ物理インタフェースとともに提供される。アクセスネットワークは好ましくはＧＳＭ／３ＧＰＰ通信システムへ接続するための免許不要な移動体通信ネットワーク（ＵＭＡＮ）であるか、ＴＤＭＡ、ＣＤＭＡ−ｏｎｅ、Ｄ−ＡＭＰＳ、ＰＤＣ又はＰＣＳを用いる移動ネットワークへ接続するための同様のアクセスネットワークである。
【０００９】
アナログ物理インタフェースに接続されるＡＰ内のコンバータは、ＰＯＴＳ信号を移動体通信システム用の信号への変換、またその逆変換を行う。このコンバータは、以下においてＰＯＴＳ−移動体通信コンバータと呼ぶ。ＰＯＴＳ−移動体通信コンバータは、移動体通信システム信号をＩＰパケットへパケット化もしくはパケット化解除するためのコンバータ、好ましくはＵＭＡ規格に従ったＧＳＭ／３ＧＰＰ実装におけるコンバータへ接続される。ＰＯＴＳ−移動体通信コンバータには、移動体通信ネットワークが解釈可能なＩＤ(identity)が与えられる。移動体通信ネットワークを通じて直接利用可能でないＰＯＴＳサービスは、好ましくはＰＯＴＳ−移動体通信コンバータにおいて実施されるか、もしくはＰＯＴＳ−移動体通信コンバータと関連して実施される。
【００１０】
本発明は利用可能性及びオペレーションコスト及び利用可能性の領域において、利点を有する。ＰＯＴＳ電話サービスは、増分費用のみで移動電話サービスに統合されるので、コストの優位性が実現される。移動機規格及び例えばＵＭＡ規格による例えば既存の規格に関する認証を再利用することにより、加入者アクティべーション及び管理は大幅に削減可能である。
【００１１】
以下の説明を添付図面とともに参照することにより、本発明を、他の目的及び長所とともに最もよく理解できるであろう。
【発明を実施するための最良の形態】
【００１２】
本発明に特有な特徴をより理解するため、従来のＵＭＡシステム及びボイスオーバＩＰシステムを手短に説明する。
【００１３】
図１は、ＵＭＡステージ２アーキテクチャに従ったＵＭＡネットワーク１を示している。移動機１０はアクセスポイント２０と、免許不要帯域（例えば８０２．１１又はブルートゥース）を用いる無線リンク１５を通じて通信する。ブロードバンドＩＰネットワーク３０は、アクセスポイント２０とＵＭＡネットワークコントローラ（ＵＮＣ）４０との間の接続性を提供する。インタフェース３５、ＵｐはＵＮＣ４０及び移動機１０との間で規定される。そして、ＵＮＣ４０は別のインタフェース４５によって、ＶＰＬＭＮ／ＨＰＬＭＮ（在圏公衆陸上移動ネットワーク／ホーム公衆陸上移動ネットワーク）機能を備えるノード５０に接続される。
【００１４】
ＵＭＡシステムには特定の顕著な機能が存在する。移動機１０及びＵＮＣ４０は新規又は拡張されたエンティティである。ＵＭＡネットワークはＧＳＭ／ＧＰＲＳ無線アクセスネットワークと共存し、標準的なＧＥＲＡＮ ＢＳＳネットワーク要素に用いられるものと同じインタフェース、すなわち回線交換音声サービス用のＧＳＭ Ａ−インタフェースとパケットデータサービス用のＧＰＲＳ Ｇｂインタフェースを介してＧＳＭコアネットワークと相互接続する。３ＧＰＰが規定するような、Ｗｍインタフェースを通じたＡＡＡサービスの利用も又提供される。ＡＡＡサービスは移動機がセキュアトンネルを設定する際の移動機認証に用いられる。ＵＮＣ４０は、ＧＳＭ／ＧＰＲＳコアネットワークには、ＧＥＲＡＮ基地局サブシステム（ＢＳＳ）のように見える。このアーキテクチャにおいて、トランザクション制御（例えば呼処理）及びユーザサービスの主要要素はコアネットワーク内のネットワーク要素、すなわちＭＳＣ／ＶＬＲ及びＳＧＳＮ／ＧＧＳＮによって提供される。
【００１５】
図２は、ボイスオーバＩＰシステム９９を示す。ＰＯＴＳ（旧来の電話サービス）端末６０は、２ワイヤアナログコネクション６５によってＩＰパケットノード７０に接続される。ＩＰパケットノード７０はＰＯＴＳ信号をＩＰパケットにパケット化するとともに、ＩＰパケットをＩＰコネクション７５を通じてサーバ８０へ配信する。サーバ８０はＰＯＴＳ信号のパケット化を解除(unpacketize)するとともに、それらをＰＯＴＳシステム９０へ接続するための手段を備える。
【００１６】
図１及び図２の２つの解決方法は、同じブロードバンドＩＰネットワークを用いて信号を送信するように組み合わせても良い。しかし、そのような場合、Ｕｐインタフェース３５の定義はボイスオーバＩＰには適用できないので、サーバ８０をＵＮＣ４０と並列に設ける必要がある。
【００１７】
代わりに、本発明によれば、ＰＯＴＳは移動体通信システムに接続されるノード５０を通じ、ＵＭＡ−形式のシステムによって提供される。移動体通信システム及びＰＯＴＳシステムは相互接続され、かつ少なくともＰＯＴＳに関して互換性を有するので、陸上ベースのシステムへのコネクションが移動体通信システムを介して形成可能かどうかは関係がない。ＰＯＴＳ信号と移動体通信信号との変換は、アクセスポイントで既に行われているため、ＩＰネットワークを通じた伝送は、ＩＰパケットにパケット化されたＰＯＴＳ信号の代わりに、ＩＰパケットにパケット化された移動体通信システム信号によって行われる。この、アクセスポイントにおける変換により、ネットワーク側にサーバを追加する必要性を完全に省くことが出来る。
【００１８】
図３Ａは、本発明の実施形態に係る通信システム１００の一部の模式的なブロック図である。ＰＯＴＳ装置６０は２ワイヤアナログコネクション６５によって、アクセスポイント２１のアナログ物理インタフェース６５に接続される。コンバータ２２はアナログ物理インタフェース２６に接続され、ＰＯＴＳ信号を終端するとともにその内容を移動体通信システムの信号２５へ変換するように構成される。移動体通信システムに従って信号２５を受信及び送信するための別のコンバータ２４がコンバータ２２に接続される。コンバータ２４はまた、ＩＰネットワーク物理インタフェース２７にも接続され、インタフェース２７は免許不要の移動体通信（ＵＭＡ）ネットワークに接続される。コンバータ２４はＩＰネットワーク物理インタフェース２７で受信したＩＰ信号を移動体通信システム信号２５に変換するとともに、移動体通信システム信号２５をＩＰネットワーク物理インタフェース２７で送信するためにＩＰ信号に変換するように構成される。従って、コンバータ２４は移動体通信信号からＩＰパケットへのパッキング(packing)及びパッキング解除(unpacking)のために動作する。
【００１９】
このような構成により、ＰＯＴＳ装置６０は、コアネットワークからは単に通常の移動局のように見える。同時に、ＰＯＴＳインタフェース２６はユーザからは単に通常のＰＯＴＳ回線のように見える。図３Ａのシステムが接続される、移動体通信システムのコアネットワークは、ＰＯＴＳ装置を移動機として認識するので、ＰＯＴＳ装置は、全ての移動機と同様、個別のＩＤと関連づけされる必要がある。本実施形態において、アクセスポイント２１内のコンバータ２２は、そのようなＩＤが登録されたＳＩＭ（加入者ＩＤモジュール）カード２３を備えている。このように、コンバータ２２及びＰＯＴＳ装置は、点線で示される仮想移動機２８を構成する。
【００２０】
つまり、アクセスポイント２１はＧＳＭ／３Ｇ信号をＰＯＴＳと同等の信号に変換する。アクセスポイント２１は、ＧＳＭ／３Ｇネットワークから移動機として認識されることを可能にする情報（例えばＳＩＭカード）をさらに備える。このように、ＵＮＣ及びＧＳＭ／３Ｇコアネットワークは変更されない。
【００２１】
レガシーＣＰＥ（Customer Premises Equipment: 加入者宅内機器）ＰＯＴＳ機器が、通常のＰＯＴＳ回線であるかのような２ワイヤアナログＰＯＴＳインタフェース２６に接続される。従って、ＣＰＥ ＰＯＴＳ機器は変わらない。従って、アクセスポイント２１のみが、変更すべき唯一の機器である。
【００２２】
図３Ｂは、本発明に係るアクセスポイントの別の実施形態を示す図である。ここでは、いくつかのＣＰＥ ＰＯＴＳ機器デバイス６０Ａ−Ｄが、通常のＰＯＴＳシステムへの、アナログ方式による２ワイヤアナログコネクション６５に接続されている。図３Ｂにおいて、電話機６０Ａ、ＦＡＸ装置６０Ｂ、アナログモデム６０Ｃ及びＣＬＩＰ（Call Line Identification Presentation: 発信者電話番号通知）ディスプレイ６０Ｄは、ＣＰＥ ＰＯＴＳ機器装置の非限定的な例として図示されている。
【００２３】
図４は、本発明に係るアクセスポイントの別の実施形態を示すブロック図である。ここでは、コンバータ２２が２つのアナログ物理インタフェース２６Ａ，２６Ｂに接続され、これらインタフェースがさらに２つのＰＯＴＳ機器６０Ａ，６０Ｂに接続されている。アナログ物理インタフェース２６Ａ，２６Ｂの各々は、別々のＳＩＭ２３Ａ，２３Ｂと関連付けされており、それによって、ＰＯＴＳ機器６０Ａ，６０Ｂは、移動体通信システムから２つの移動機、すなわち２つの加入であるように見える。
【００２４】
図４において、アクセスポイント２１はまた、ＵＭＡシステムの標準的なアクセスポイントとしても用いることができる。コンバータ２４は、無線リンク１５を介して移動機１０と通信するため、免許不要帯で動作するアンテナにモバイルインタフェース１６を介して接続される。これらの部分は、ＵＭＡ規格に従って構成されることが好ましく、従ってこれ以上の説明は行わない。
【００２５】
ＰＯＴＳサービスは、Ｕｐインタフェースを通じたＧＳＭ／３ＧコアネットワークへのＧＳＭ／３Ｇ信号によって実現される。多くのＰＴＯＳサービスがコアネットワークから直接利用可能である。他のサービスはアクセスポイント２１に実装される。図４において、手段２９はＰＯＴＳサービスを実施するためのものであり、コンバータ２２内部に設けられるか、コンバータ２２に関連して設けられる。ＰＯＴＳ固有のトーン及びパルスの発生器及び検出器は、通常この手段２９に設けられる。
【００２６】
ＰＯＴＳサービスのうち、特に興味深いものは、ＰＯＴＳ音声サポート、ＰＯＴＳ付加サービス、ＦＡＸサポート、モデムサポート、ＴＴＹ（文字通信）サポート及び高速回線交換データサポートであるが、これらに限定されない。ＰＯＴＳ付加サービスの、非限定的な例を以下に示す。
【００２７】
- 非通知着信拒否（ＡＣＲＪ）
- コールフォワード（ＣＦ）
- 話中コールフォワード（ＣＦ）
- 選択的コールフォワード（ＳＣＦＵ）
- 発信者電話番号通知（ＣＬＩＰ）
- 発信者番号通知制限（ＣＬＩＲ）
- コールリターン（ＣＲ）
- コールウエイティング（ＣＷ）
- 話中呼び出し先の通話終了通知（ＣＣＢＳ）
- 識別リンギングサービス，付加ディジット法（ＤＡＡ）
- 代理応答サービス（ＤＤＢ）
- イコールアクセス（ＥＡ）
- メッセージ待機表示（ＭＷＩ） 
- 選択的着呼拒否（ＳＣＲ）
- 三者通話サービス（３ＰＴＹ）
- 転送三者通話サービス（３ＰＴＹＴ）
- 発呼者名表示制限（ＣＮＩＲ）
【００２８】
好適な実施形態において、アクセスポイント２１の主要な一機能は、ＰＳＴＮ（ＲＪ−１１）インタフェースである。ユーザは、このインタフェースに、１つ又はいくつかの標準的な電話機及び他のＰＳＴＮを通じて動作するレガシ機器を接続することができる。好適な実施形態のアクセスポイント２１の他の主要な機能は、ＩＰブロードバンドアクセスネットワーク（ＷＡＮ）へ（又は、例えばケーブルＴＶモデム及びネットワークを通じて）接続するイーサネット（登録商標）インタフェース（ＲＪ−４５）である。
【００２９】
ＰＳＴＮインタフェースはＤＴＭＦ及びパルスの両方をサポートすることが好ましい。サービス品質（ＱｏＳ）は、DiffServ（IP TOSフィールドは適切な値に設定される）によってサポートされる。ＦＡＸ及びモデムはサポートされるべきことが好ましい。サポートされるモデムの非限定的な例は、V.90, V.34, V.32bis, V.32, V.22bis, V.22, V.23, V.21, Bell212A及び103である。サポートされるＦＡＸの非限定的な例は、2400/4800/7200/9600ボーのＧ３ＦＡＸ伝送である。
【００３０】
好適な実施形態において、アクセスポイント２１はさらに、ＰＳＴＮインタフェースにおいて、音声又はＦＡＸ／モデムが使用されているかを自動的に検出し、音声及びＦＡＸ／モデムに関連するコーデック（例えばＥＦＲ，ＡＭＲ等）を用いるように構成される。アクセスポイントは、データ（９６００ビット／秒）及び高速回線交換データＨＳＣＳＤをサポートすることが好ましい。
【００３１】
ＳＭＳメッセージ及び発呼者電話番号を、２ワイヤ回線に接続されるディスプレイに表示させてもよい。情報は例えばＦＳＫ及び／又はＤＴＭＦ信号を用いて２ワイヤ回線上で伝送される。ＳＭＳメッセージはソフトキーボードを用いて、内蔵ディスプレイ又は外部ディスプレイへ送信することができる。アクセスポイント２１は、呼び出し先名表示及び個人電話帳をサポートすることが好ましい。
【００３２】
図５に、本発明に係るシステムのプロトコルアーキテクチャの実施形態を示す。ＭＳＣは、Ａインタフェースを通じ、従来のプロトコルに従ってＵＮＣ４０と通信する。ＵＮＣ４０及びＩＰネットワーク３０は、ＵＭＡ規格に従ったプロトコルも用いるように構成される。本発明に係るアクセスポイント２１は本実施形態において、アクセスレイヤＡＬを終端し、アクセスポイント２１内の通信のためその代わりに免許不要な下位層(unlicensed lower layers)ＵＬＬを適用する。これにより、コンバータ２４が従来のＵＭＡアクセスポイントとして見えるようになり、実際の移動機がコンバータ２４へ容易に接続することを可能にする。コンバータ２２は移動体通信信号を終端し、それらをＰＯＴＳ信号へ変換する。呼び出しは例えば、２ワイヤ回線に適用される呼び出し電圧に変換される。
【００３３】
本技術分野の当業者が理解するように、上述したアクセスポイントの実施形態の個々の部分は、物理的なブロックではなく、機能ブロックとして解釈すべきである。これらの機能ブロックは個別のユニットに実装されても、１つ又はいくつかの共通ユニットに統合されてもよい。また、１つより多いユニットもしくはそれらの任意の組み合わせに分散されても良い。
【００３４】
図６は、それら機能ブロックのいくつかの実装について可能性のある１つの実施形態を、内部インタフェースとともに示したものである。ＲＪ４５イーサネット（登録商標）インタフェース４１がＰＨＹユニット（イーサネット（登録商標）物理層デバイス）４２に接続される。ＰＨＹユニットはＭＩｌ（メディア非依存インタフェース）５２によってマイクロプロセッサ４３に接続される。マイクロプロセッサ４３は、上述した図面における、例えばコンバータ２４の大部分の機能を実行するように構成される。マイクロプロセッサ４３は、ＰＣＩ(Peripheral Component Interconnect)インタフェース５３により、例えばＩＥＥＥ８０２．１１ｂに従う無線ユニット１６Ａに接続される。この無線ユニット１６Ａは、ＷｉＦｉネットワークを通じた通信を処理する。本実施形態におけるマイクロプロセッサ４３はさらに、例えばシングルチップ無線及びＢＢ（ベースバンド）である、ブルートゥース通信用無線ユニット１６Ｂにも接続される。無線ユニット１６Ａ及び１６Ｂは通常共存している。マイクロプロセッサ４３はさらに、ＳＩＭ関連の機能を処理するように構成され、それ故にＳＩＭユニット２３に接続される。マイクロプロセッサ４３はさらにメモリ４４にもアクセスする。
【００３５】
ＰＣＭ及びＨＰＩ（ホストポートインタフェース）５７は、マイクロプロセッサをコーデック及びＤＳＰ（ディジタルシグナルプロセッサ）ユニット４６に接続する。このユニット４６は、音声コーデック、トーン認識、トーン発生、ＦＡＸモデム及びデータモデムについての責を負う。高／低電圧ＳＬＩＣ（加入者回線インタフェース回路）インタフェース５９は、コーデック及びＤＳＰユニット４６をＳＬＩＣユニット４７に接続する。そして、ＳＬＩＣユニット４７はＲＪ１１（又は同等物）ＰＯＴＳ２ワイヤインタフェース４９に接続される。
【００３６】
アクセスポイント２１は電源線６２によって給電され、ＤＣコンバータ６１は適切なＤＣ供給電圧を様々なユニットに提供する。
【００３７】
図７は、本発明に係るアクセスポイントの実施形態の、さらに詳細なブロック図である。移動機ユーザデータについて、ブルートゥース／ＷｉＦｉインタフェース１６は、音声コーデック７３に接続される。コーデックはさらに、ＲＴＰパッキングユニット７２に接続され、ＲＴＰパッキングユニット７２はさらに例えばイーサネット（登録商標）上に好適なパケットを提供するためのＵＤＰ／ＩＰパッキングユニット７１に接続される。これは、関連するＩＥＴＦ規格に従って行われる。そのような機能は、例えばＵＭＡ規格に従って利用可能である。
【００３８】
しかし、ＰＯＴＳユーザデータは別の機能を必要とする。ＰＯＴＳ機器からの信号はＡ／Ｄコンバータ７７でディジタル化される。信号の形式が検出され、代わりの処理経路が与えられる。音声形式のデータについては、以下に詳細に説明するトーン処理ユニット７６が、スイッチ８２によって接続される。そして、データは移動体データプレーンに結合するためのトランスコーダ７４に与えられる。トランスコーダ７４はＥＦＲコンバータ７３に接続される。しかし、テキスト通信が存在する場合、データプレーンの経路はトランスコーダ７４の前にＴＴＹモデム７９とＣＴＭモデムが存在する経路に切り替えられる。ＣＴＭモデムはＴＴＹトーンが通常のＧＳＭ音声コーデックを通過することを確保するために用いられる。ＰＯＴＳユーザデータが元々アナログＦＡＸ又はモデム信号を含む場合、データプレーンの経路はアナログＦＡＸ／モデムユニット８０及びＶ．１１０’ユニット８１へ切り替えられる。Ｖ．１１０’はＧＳＭ信号を用いてデータを伝送するために用いられる。そして、データはＲＴＰパッキングユニット７２へ供給される。
【００３９】
移動体通信ネットワークから移動機又はＰＯＴＳ機器へ与えられる信号は、同様に、しかし逆方向に処理される。
【００４０】
図８は、例えば図７のアクセスポイントにおいて使用可能なトーン処理ユニット７６の実施形態を示す。アップストリームＰＣＭ信号はＡ／Ｄコンバータ７７からレベル調整９２へ、さらには、受信したトーンをＧＳＭ信号を用いて送信する前にデコードするＤＴＭＦ及びＦＡＸ／モデムトーン（ＣＮＧ）検出器へ供給される。トーン発生器９４はアップストリームラインに接続され、ＦＡＸ及びデータ呼用の呼び出しトーン（ＣＮＧ）及び応答トーン（ＣＥＤ）を、アップストリーム信号がトランスコーダ７４に供給されるまえに生成する。ダウンストリーム方向において、トランスコーダ信号はＦＡＸ／モデムトーン検出器９５に供給され、ＦＡＸ／モデムトーン検出器９５はダウンストリーム信号がＦＡＸ又はモデム信号かどうかを判定する。ＦＳＫ／ＤＴＭＦ生成器９６は、ダウンストリームＰＣＭラインに接続され、ＦＳＫ変調（例えばベルコアGR-30-Core）、Ｖ２３ＦＳＫ変調（例えばETS 300 659-1)又はＤＴＭＦパルス（例えばETS 300 659-1 Annex C）を提供する。例えばダイヤルトーン、呼び出し音、話中音又は様々なガイダンストーンを生成するため、トーン発生器９７がさらに設けられる。最終的に、ダウンストリーム信号は、レベル調整及び音声制御９１を通過し、Ａ／Ｄコンバータ７７へ到達する。
【００４１】
本発明による１つの利点は、加入者に対するネットワーク運用コストを実質的に追加することなく、ＰＯＴＳ電話サービスが利用可能になることである。ＰＯＴＳインフラストラクチャを提供するためのコストは多大であるが、移動体電話サービスオペレータは、付加的なコストだけで、提案されるＰＯＴＳサービスを既存のネットワークに追加することができる。
【００４２】
ＳＩＭカード認証の利用は、加入者アクティベーション及び管理のコストを大幅に削減する。そして、固定電話の加入者に対しても、プリペイドのような形でＧＳＭ／３Ｇサービスを提供することが可能になる。
【００４３】
ＧＳＭ／３Ｇシステムは、世界中の電話ネットワークと接続されているので、世界中の電話ネットワークのどの電話機へも接続することができる。つまり、移動体通信事業者が、固定及び無線通信を通じた完全な「トリプルプレイ」通信事業者になるためのツールを提供することになるであろう。
【００４４】
なお、上述した実施形態は、本発明の説明に役立つ例のごく一部であると理解されるべきである。大部分の実施形態においては、ＧＳＭ／３ＧＰＰの概念を前提としている。しかし、本発明は例えばＴＤＭＡ、ＣＤＭＡ−ｏｎｅ、Ｄ−ＡＭＰＳ、ＰＤＣ又はＰＣＳベースの他の移動体通信システムにも適用可能である。本技術分野に属する当業者は、本発明の範囲を逸脱することなく、上述の実施形態について様々な変形、組み合わせ及び変更を行ないうることを理解するであろう。特に、技術的に可能な範囲において、異なる実施形態における異なる部分の手法を他の構成に組み込むことができる。しかしながら、本発明の範囲は、添付した特許請求の範囲によって十分に規定される。
【００４５】
参考文献
［１］ＵＭＡアーキテクチャ（ステージ２） R1.0.2 (2004-11-03) 技術仕様、第４〜７章
【図面の簡単な説明】
【００４６】
【図１】ＵＭＡシステムの模式的なブロック図である。
【図２】ボイスオーバＩＰ用のシステムの模式的なブロック図である。
【図３Ａ】本発明の実施形態に係る通信システムの一部の模式的なブロック図である。
【図３Ｂ】本発明の実施形態に係る通信システムの一部の模式的なブロック図である。
【図４】本発明に係るアクセスポイントの実施形態の模式的なブロック図である。
【図５】本発明に係るシステムのためのプロトコルアーキテクチャの実施形態を示す図である。
【図６】本発明に係るアクセスポイントの実施形態のブロック図である。
【図７】本発明に係るアクセスポイントの実施形態の概説ブロック図である。
【図８】例えば図７に係るアクセスポイントにおけるトーン処理のブロック図である。
【図１】
2008530852.tif 000003
【図２】
2008530852.tif 000004
【図３Ａ】
2008530852.tif 000005
【図３Ｂ】
2008530852.tif 000006
【図４】
2008530852.tif 000007
【図５】
2008530852.tif 000008
【図６】
2008530852.tif 000009
【図７】
2008530852.tif 000010
【図８】
2008530852.tif 000011
【国際調査報告】
2008530852.tif 000012
2008530852.tif 000013
2008530852.tif 000014